(57)【特許請求の範囲】
【請求項１】
外周を直線の連続で形成した所望長さの手摺りであって、ほゞ水平な上面と、手摺りを
上方から握った際の小指側を、前記上面から第１下降傾斜面を介してほゞ垂直に垂下する
第１垂下面と、該第１垂下面から内方へ向け傾斜する第１内方傾斜面でそれぞれ形成する
とゝもに、他方の親指側を、前記上面から第２下降傾斜面を介してほゞ垂直に垂下する第
２垂下面と、該第２垂下面に続く内方傾斜面部及び外方傾斜面部からなる横Ｖ字状面でそ
れぞれ形成してなり、前記各面の隣接する面と面との接続部が長手方向に稜線として突出
する構成としたことを特徴とする手摺り。
【請求項２】
小指側の前記第１内方傾斜面の部分を、第２内方傾斜面及び第３内方傾斜面で形成してなる構成としたことを特徴とする請求項１記載の手摺り。
【請求項３】
手摺りの少なくともその一端側に、周囲からそれぞれ軸芯方向へ向け傾斜する外方傾斜
面と、該外方傾斜面の外端縁で囲まれた正面視矩形状の垂下端面とを備えてなる構成とし
たことを特徴とする請求項１又は２記載の手摺り。
【請求項４】
全長が３０〜４０ｃｍである請求項１，２，又は３記載の手摺りを、単体或いは所定間
隔をおいて複数個、壁面等に設置する構成としたことを特徴とする手摺りの設置構造。
【発明の詳細な説明】
【技術分野】
【０００１】
本発明は手摺り及びその設置構造に関し、更に詳しくは、手摺りを所定の位置及び所定
の深さ以外の位置及び深さで握った場合でも、滑ることなく確実に把持できる手摺り及び
その設置構造に関する。
【背景技術】
【０００２】
従来の手摺りは外周が円形のパイプ状のものが多い。このような外周がほゞ真円とした
棒状の手摺りは周方向に方向性がないため、手をどのような方向から手摺りの上に添えた
場合でも握り易いといった利点がある。しかしその反面、外周面が滑り易いといった欠点
があり、立位から座位の姿勢へ或いは座位から立位の姿勢へといったように姿勢を変える
ための動作時に、体重を支えるために握っていた手が滑って手摺りから離れ、その反動で
転倒し怪我をするといった危険がある。
【０００３】
このような問題点を解決するため、手摺りの外周を曲線の連続で形成するとゝもに、外
周の所定箇所に親指以外の指の指先を引っかけるための凹部を形成した手摺り、或いは親
指の位置する部分およびその他の指の指先の位置する部分に凹部をそれぞれ形成した手摺
りなどが提案されている。このような構成とすることにより、手摺りを握った際に親指以
外の指の指先が凹部に引っ掛かり、或いは親指及びその他の指の指先がそれぞれの凹部に
位置することで全ての指先が凹部に引っ掛かり、手摺りを滑ることなく確実に把持できる
といった効果を期待することが出来る。
【先行技術文献】
【特許文献】
【０００４】
【特許文献１】特開２０００−２４０２４９号公報
【特許文献２】特開２００２−１１５３８１号公報
【特許文献３】特開２００３−３０１５８２号公報
【特許文献４】特開２００４−０６８５６６号公報
【発明の開示】
【発明が解決しようとする課題】
【０００５】
しかし、特開２０００ー２４０２４９号公報のような上記公知文献に記載の手摺りは、
手摺りを手の所定の位置で、しかも所定の深さで確実に握った場合にのみ上記のような機
能を発揮できるものと言える。ここで、手摺りを手の所定の位置及び所定の深さで握ると
は、手摺りが親指と人指し指の間を通って小指側に抜ける方向に位置して手の平が手摺り
の上に添えられ、しかも親指及びその他の四指が夫々の係合用凹部内に位置するように、
手の平と手摺りの上面とが密着する状態で手摺りを握ることと定義する。
【０００６】
しかし、例えば座位の状態或いは車椅子に乗った状態から立位の状態に姿勢を変化させ
ようとする場合にあっては、手摺りの設置高さは肩の位置より上方にあるため、親指を手
摺りの下方から小指側に入れ、他の四指を手摺りの正面側および上面側と面接させ、この
状態で手を握ることになる。すなわち、手摺りの所定の位置及び所定の深さで握ることが
できない。
【０００７】
その結果、親指および他の指の指先は、手摺りの外周にあって所定の中心角の位置にそ
れぞれ形成した係合用の凹部内に納まることがない状態で手摺りを握ることになる。その
ため、指先に手摺りの外周との引っ掛かりがない状態で握ることになり、握った手が手摺
りから滑り落ちてしまうといった、上記丸棒の場合と同様の問題点が発生する。このよう
な問題点は、手が手摺りの外径に対して小さいような場合や、或いは指先だけで浅く手摺
りを握ったような場合にあっても発生する危険がある。
【０００８】
本発明は、上記のような従来の問題点を解決しようとするものであり、手摺りを手の所
定位置及び所定深さで握ることが出来ないような場合でも、指先或いは指の腹と係合する
ことで握り易く、且つ老人など低把持力者でも滑ることなく確実に把持することができる
手摺りおよびその設置構造を提供することを目的としたものである。
【課題を解決するための手段】
【０００９】
上記の目的を達成するため、本発明の第１の解決手段は、外周を直線の連続で形成した
所望長さの手摺りであって、ほゞ水平な上面と、手摺りを上方から握った際の小指側を、
前記上面から第１下降傾斜面を介してほゞ垂直に垂下する第１垂下面と、該第１垂下面か
ら内方へ向け傾斜する第１内方傾斜面で夫々形成するとゝもに、他方の親指側を、前記上
面から第２下降傾斜面を介してほゞ垂直に垂下する第２垂下面と、該第２垂下面に続く内
方傾斜面部及び外方傾斜面部からなる横Ｖ字状面でそれぞれ形成してなり、前記各面の隣
接する面と面との接続部が長手方向に稜線として突出する構成としたことを特徴とする手
摺とした。
【００１０】
また、本発明の第２の解決手段は、小指側の前記第１内方傾斜面の部分を、第２内方傾
斜面及び第３内方傾斜面で形成してなる構成としたことを特徴とし、そして、本発明の第
３の解決手段は、手摺りの少なくともその一端側に、周囲からそれぞれ軸芯方向へ向け傾
斜する外方傾斜面と、該外方傾斜面の外端縁で囲まれた正面視矩形状の垂下端面を形成し
てなる構成としたことを特徴とする手摺とした。
【００１１】
更に、本発明の第４の解決手段は、全長が３０〜４０ｃｍとした前記請求項１，２又は
３記載の手摺りを、単体或いは所定間隔をおいて複数個、壁面等に設置する構成としたこ
とを特徴とする手摺りの設置構造である。
【発明の作用・効果】
【００１２】
第１の解決手段は、上記のように、外周が全て平面から形成されているとゝもに、各平
面と平面との接続部が手摺り本体の長手方向に延びる稜線として突出する構成のものであ
るから、手摺りの上面が手の平と密接する状態で深く握った場合は勿論のこと浅く握った
場合でも、或いは手摺りの長手方向に対して所定の角度と異なる角度で手摺りを握った場
合でも、手の平および指の腹は常に表面から外方に凸とした複数本の稜線および稜線で区
画された複数の平面と接触する。そして、手を強く握ることで稜線が手に食い込むような
状態となり、摩擦抵抗，接触抵抗が向上する。
【００１３】
また、第２の解決手段は、小指側を第２内方傾斜面及び第３内方傾斜面でそれぞれ形成
することで、小指側の外周は手摺りを手の所定の位置及び所定の深さで握った形とほゞ同
一の形状となり、比較的弱い力で握った場合でも、小指側の四指の腹は第２内方傾斜面と
第３内方傾斜面および該両内方傾斜面間に介在する稜線と接触し、握る手と手摺りの外周
面との間の摩擦抵抗，接触抵抗が向上する。
【００１４】
そして、第３の解決手段、すなわち、前記手摺りの少なくともその一端面に、外周から
軸芯方向へ向けそれぞれ傾斜する外方傾斜面と、該外方傾斜面の外端縁で囲まれた正面視
矩形状の垂下端面を形成してなる構成としたことで、立位歩行者および車椅子使用者にと
って手摺りの端部を握り易くなり、人指し指，中指，薬指などによる引っかけ作用により
進行方向への勢い付けが行える。
【００１５】
そして又、第４の課題解決手段、すなわち全長が３０〜４０ｃｍとした前記請求項１乃
至３記載の手摺りを単体或いは所定間隔をおいて複数個壁面等に設置する構成とすること
で、出入口や窓壁など必要であるが横幅が短かいため設置できなかった場所でも設置する
ことができる。或いは柱と柱の間の寸法が決まっているため手摺りを埋め込むための連続
した凹部を形成できなかった場所であっても、手摺り単体を埋設できる幅の凹部を柱間の
壁に形成し、所定の間隔、例えば２５〜３５ｃｍの間隔で壁に形成した凹部内に手摺りを
非連続的に設置することができることで、立位歩行者および車椅子使用者にとって移動す
る際の有効な手摺りとなる。
【発明を実施するための形態】
【００１６】
以下、本発明を図１乃至図１３に示す実施の形態に基づいて詳細に説明する。
【００１７】
図１乃至図５は本発明に係る手摺りの第１実施形態を示すもので、この手摺りＡ1 は所
望大きさの多角形棒体で、例えば長さが３０〜４０ｃｍ，横幅が３〜６ｃｍ，高さ５〜８
ｃｍとしたものである。２は手摺り本体１の上部に形成したほゞ水平な上面で、図３に示
すように、手摺りＡ1 を上方から左手Ｍで握った際の小指側には、前記水平な上面２から
第１下降傾斜面３を介してほゞ垂直に下がる第１垂下面４と、該第１垂下面４から内方へ
向け傾斜する第１内方傾斜面５でそれぞれ形成されている。
【００１８】
他方親指側は、前記水平な上面２から第２下降傾斜面６を介してほゞ垂直に下がる第２
垂下面７と、該第２垂下面７に続く内方傾斜面部８ａ及び外方傾斜面部８ｂからなる横Ｖ
字状面８でそれぞれ形成されており、手摺り本体１の外周面を形成する前記の上記の各面
２〜８は、図１に示すように、手摺り本体１の長手方向に沿って互いに平行に延びた横長
方形状の平面でそれぞれ形成されている。
【００１９】
９ａ〜９ｇはそれぞれ互いに隣り合う平面と平面とを区画する稜線で、手摺り本体１の
長手方向に沿ってそれぞれ平行に延びており、前記内方傾斜面部８ａと外方傾斜面部８ｂ
とを区画する稜線９ｇ以外は全て外方へ向け凸とした構成のものである。
【００２０】
１０は手摺り本体１の両端部にそれぞれ形成した突出部で、外周の四方からそれぞれ軸
芯方向へ向け傾斜する４面からなる外方傾斜面１１ａ〜１１ｄと、該４面の外方傾斜面１
１ａ〜１１ｄの外端縁で囲まれた正面視が矩形状で垂直な平面からなる垂下端面１２と、
前記外方傾斜面１１ａ〜１１ｄを区画する一端が前記矩形状の垂下端面１２の４つのコー
ナー部と連続する端部稜線１３ａ〜１３ｄとからそれぞれ構成されている。なお、図中１
４は手摺り本体１の下部に形成した取付基部である。
【００２１】
図３乃至図５は第１実施形態に係る手摺りＡ1 の取付状態及び使用状態を示すもので、
図３及び図４に示すように、壁面Ｗに支持具１５の基部１５ａを固定し、該支持具１５の
先端に形成した受け部１５ｂに手摺りＡ1 の中央部の取付基部１４を固定することで、手
摺りＡ1 を床面から所定高さの壁面Ｗに設置する。そして、必要に応じて、図５に示すよ
うに、取り付けた手摺りＡ1 と所定の間隔Ｓをおいて同じ構造の手摺りＡ1 を上記と同じ
方法で、壁面Ｗに不連続的に複数個取り付ける。
【００２２】
このようにして設置した手摺りＡ1 を、図３に示すように、左手Ｍの所定の位置及び所
定の深さで握った場合、すなわち（１）手摺りＡ1 が親指と人指し指の間を通って小指側
に抜ける方向に位置する、（２）手の平が手摺りＡ1 の上面２の上に添えられる、（３）
親指の指先が前記横Ｖ字状面８内に位置する、（４）その他の四指が手摺りＡ1 の小指側
の第１下降傾斜面３，第１垂下面４，第１内方傾斜面５に位置する、そして、更に（５）
手の平と手摺りＡ1 の上面２とが密着する状態で手摺りＡ1 の外周面を握る。
【００２３】
上記（１）〜（５）の条件を満たす状態で手摺りＡ1 を左手Ｍで握った場合、手の平は
手摺りＡ1 の上面２，親指の付け根及び親指の腹は第２下降傾斜面６，第２垂下面７，内
方傾斜面部８ａ，８ｂの各平面および各平面を区画する稜線９ｄ，９ｅ，９ｆ，９ｇと接
触する。他方小指側にあっては、親指を除く他の４指の付け根および指の腹は第１下降傾
斜面３，第１垂下面４，第１内方傾斜面５の各平面および各平面を区画する稜線９ａ，９
ｂ，９ｃと接触することになり、これらの稜線が手の平，指の腹および指先と係合するこ
とで滑り抵抗が増大し、手の滑落が防止される。
【００２４】
しかし、手摺りを上記（１）〜（５）の条件を満足する良好な状態で握れない場合もあ
る。この際、親指の指先は横Ｖ字状面８内に位置しない点では共通するが、更に手の平が
手摺りＡ1 の外周面と密着する状態で深く握った場合と、手の平が手摺りＡ1 の外周面か
ら浮いた状態で指の腹および指先で浅く握った場合とがある。しかるに、深く握った場合
にあっては手の平，指先及び指の腹が、浅く握った場合にあっては指先及び指の腹が、そ
れぞれ近くに位置する各平面２〜８と各平面を区画する各稜線９ａ〜９ｇを跨いだ状態で
接触する。その結果、稜線と係合した状態で各平面と接触することになり、滑り抵抗が一
段と増大し、より一層手の滑落が防止される。
【００２５】
図５は複数個の手摺りＡ1 ，Ａ1 を所定の間隔Ｓをおいて、不連続状態で壁面Ｗに支持
具１５を介して設置した状態を示す図である。一般に、立位者や車椅子利用者が手摺りを
使用する場合、握っていた手を手摺りから一旦離し、進行方向にある距離、例えば２５〜
３５ｃｍだけ手を飛ばした後、近くに設置されている手摺りを再度握るといった動作を繰
り返すことで、目的の場所まで移動していることが観察された。
【００２６】
そこで、本発明では、手摺りＡ1 の両端部を握り易く且つ滑りにくい形状の突出部１０
からなる構造とするとゝもに、この突出部１０を握った手で進行方向へ体を押し出すこと
で、所定の間隔Ｓをおいて設置した次の手摺りＡ1 まで手を飛ばして利用できる設置構造
としたものである。なお、手摺りＡ1 を所定の間隔Ｓを置いて不連続的に取り付ける上記
以外の理由として、ユニットケア対応の場合、各居室群の中央部にリビングがあるため、
手摺りは居室を出入する場合にのみ使用していること、廊下に対して平行移動が少ないか
もしくは殆どないといったことが挙げられる。
【００２７】
しかして、手摺りＡ1 の端部に形成した上記構造の突出部１０を利用する場合は、図４
に示すように、親指の指先は横Ｖ字状面８内に位置し、人指し指及び中指の付け根から指
の腹および指先の部分が突出部１０の表面、詳しくは、手摺りＡ1 の上面２，外方傾斜面
１１ａ〜１１ｄ，垂下端面１２の各平面および各平面を区画する稜線とそれぞれ接触しな
がら端部を握ることになる。しかるに、手摺りＡ1 の端部が上記のような構造から成る突
出形状としたことで握り易いことと、稜線が手の平，指の腹および指先と係合することで
滑り抵抗が増大し、引っかけ易いといった効果がある。
【００２８】
図６乃至図９は第２実施形態に係る手摺りＡ2 で、前記第１実施形態の手摺りＡ1 とは
その構造において、手摺り本体１の突出１０における外方傾斜面１１ｄの部分で相異する
とゝもに、設置構造において、腰壁の上に手摺りを直接設置した構造の点において相異し
ている。すなわち、構造的に相異する点は、第１実施形態の手摺りＡ1 にあって、その外
方傾斜面１１ｄは垂直な平面からなる取付基部１４の上端から外方へ向け突出する上昇傾
斜面としたが、第２実施形態の手摺りＡ2 にあって、この外方傾斜面１１ｅは取付基部１
４の下端から外方へ向け突出する一つの上昇傾斜面で構成した点である。その他の構造は
第１実施形態の手摺りＡ1 と同じであるから、同一の場所は同一の符号を付した。
【００２９】
つぎに、前記第１実施形態の手摺りＡ1 と第２実施形態の手摺りＡ2 との設置構造の相
異点を説明すると、手摺りＡ2 は腰壁Ｂの上面に直接固定し設置した点で手摺りＡ1 の設
置構造とは相異する。詳述すると、図８及び図９において、Ｂは床面からの高さが約９０
ｃｍの壁腰であり、該腰壁Ｂの上面に手摺りＡ2 を、上記の場合と同様に所定の間隔Ｓを
おいて不連続の状態に置き、取付基部１４の部分で腰壁Ｂの上面に固定し設置する構造と
した。このようにして設置した手摺りＡ2 の作用は上記第１実施形態の手摺りＡ1 と同じ
である。なお、図中Ｃは窓又は壁である。
【００３０】
図１０乃至図１３は本発明の第３実施形態の手摺りＡ3 であり、前記第１及び第２実施
形態の手摺りＡ1 ，Ａ2 とは第１内方傾斜面１５において構造上の相違点があり、壁面Ｗ
に所定間隔をおいて形成した凹部Ｄ内に設置した点において設置構造上の相違点がある。
すなわち、構造的には、手摺りＡ1 ，Ａ2 にあって、小指側の第１内方傾斜面５は第１垂
下面４から取付基部１４の下端まで一面で形成された構成としている。これに対して第３
実施形態の手摺りＡ3 は、第１内方傾斜面１５を第２内方傾斜面１５ａ及び第３内方傾斜
面１５ｂで形成することで、手摺り本体１の小指側の第１垂下面４の部分を指先や指の腹
で握り易い膨出する構成とした点で相異する。しかし、その他の構造はＡ2 と同じである
から、同一の場所は同一の符号を付した。
【００３１】
また、手摺りＡ3 の設置構造は、壁面Ｗに所定間隔をおいて形成した凹部Ｄ内に設置し
た点で前記の手摺りＡ1 ，Ａ2 の設置構造とは相違する。詳述すると、図１２及び図１３
において、壁面Ｗには柱や内部構造体を避け得る所望長さの凹部Ｄを形成し、この凹部Ｄ
内に手摺りＡ3 を埋め込み状態で設置した。この場合に使用する手摺りＡ3 はその全長が
３０〜４０ｃｍとするのが望ましい。すなわち、この長さの手摺りＡ3 とすることで、壁
面Ｗの内部に設置されている柱や内部構造体を避け得る所望長さの凹部Ｄを形成すること
ができる。そして、手摺りの端部１０，１０と凹部Ｄ内の内側壁Ｆ，Ｆとの間に手を挿入
し、手摺りＡ3 の端部１０，１０を手で握って引っかけるだけのスペースを確保できる。
このようにして設置した手摺りＡ3 の作用は上記と同じである。
【図面の簡単な説明】
【００３２】
【図１】本発明の第１実施形態の手摺りの斜視図
【図２】同手摺りの拡大正面図
【図３】同手摺りの使用状態（その１）を示す正面図
【図４】同手摺りの使用状態（その２）を示す正面図
【図５】同手摺りの設置状態を示す側面図
【図６】本発明の第２実施形態の手摺りの斜視図
【図７】同手摺りの拡大正面図
【図８】同手摺りの使用状態を示す正面図
【図９】同手摺りの設置状態を示す斜視図
【図１０】本発明の第３実施形態の手摺りの斜視図
【図１１】同手摺りの拡大正面図
【図１２】同手摺りの使用状態を示す正面図
【図１３】同手摺りの設置状態を示す斜視図
【符号の説明】
【００３３】
Ａ  手摺り
Ｂ  腰壁
Ｃ  窓
Ｄ  凹部
１  手摺り本体
２  上面
３  第１下降傾斜面
４  第１垂下面
５  第１内方傾斜面
６  第２下降傾斜面
７  第２垂下面
８  横Ｖ字状面
９ａ〜９ｇ  稜線
１０  突出部
１１ａ〜１１ｄ  外方傾斜面
１２  垂下端面
１３ａ〜１３ｄ  端面稜線
１４  取付基部
【図１】
0004838001.tif 000002
【図２】
0004838001.tif 000003
【図３】
0004838001.tif 000004
【図４】
0004838001.tif 000005
【図５】
0004838001.tif 000006
【図６】
0004838001.tif 000007
【図７】
0004838001.tif 000008
【図８】
0004838001.tif 000009
【図９】
0004838001.tif 000010
【図１０】
0004838001.tif 000011
【図１１】
0004838001.tif 000012
【図１２】
0004838001.tif 000013
【図１３】
0004838001.tif 000014